(57)【特許請求の範囲】
【請求項１】
液体ＶＯＣを水蒸気により加熱して気化させる気化手段と、前記気化手段により生成した気体ＶＯＣを水蒸気と混合する混合手段と、前記混合手段により生成した混合ガスを燃焼する燃焼手段とを備え、前記気化手段において液体ＶＯＣの気化に使用された水蒸気の余剰分が前記混合手段において気体ＶＯＣと混合されるように構成されたことを特徴とする液体ＶＯＣの燃焼処理装置。
【請求項２】
液体ＶＯＣを水蒸気により加熱して気化させる気化ステップと、前記気化ステップにより生成した気体ＶＯＣを水蒸気と混合する混合ステップと、前記混合ステップにより生成した混合ガスを燃焼する燃焼ステップとを備え、前記気化ステップにおいて液体ＶＯＣの気化に使用された水蒸気の余剰分を前記混合ステップにおいて気体ＶＯＣと混合することを特徴とする液体ＶＯＣの燃焼処理方法。
【発明の詳細な説明】
【技術分野】
【０００１】
本発明は、液化回収された液体ＶＯＣを燃料として有効利用するための、燃焼処理装置及び燃焼処理方法に関する。
【背景技術】
【０００２】
ＶＯＣ（揮発性有機化合物；Volatile Organic Compounds）は、塗料溶剤（シンナー等）、接着剤、インキ、一部の洗浄剤等に含まれおり、その種類は、トルエン、キシレン、酢酸エチルなど主なもので約２００種ある。ＶＯＣは固定発生源から大気中に年間約１００万トン排出されており、浮遊粒子状物質（ＳＰＭ）や光化学オキシダントの原因物質の一つにもなっている。このため、２００６年に大気汚染防止法によりＶＯＣの排出規制が施行されている。
【０００３】
ＶＯＣの排出を規制する方法としては、燃焼処理により分解、無害化した後に廃棄する方法が一般的である。しかし、この場合、ＶＯＣ自身の燃焼熱が無駄に廃棄されるばかりでなく、燃焼処理のための補助燃料（プロパンガス等）の燃焼熱も無駄に廃棄されるという問題があった。
【０００４】
また、ＶＯＣを含有する排気をボイラの燃焼用空気として使用することで、ＶＯＣの燃焼熱を有効利用する方法も知られている。しかし、この場合、ＶＯＣ濃度は高くても数千ｐｐｍと非常に希薄であるため、有効活用の効果が少ないという問題があった。
【０００５】
一方、活性炭回収方法等で回収したＶＯＣをボイラのバーナ近傍に注入し、ボイラ燃料の一部として使用する方法がある。この方法によれば、大幅なボイラ燃料経費の削減、省エネの実現を図ることができる。しかし、ＶＯＣの多くは、フェニル基（芳香族）、カルボニル基（−Ｃ＝Ｏ）等の二重結合をもつ分子が多く、これらを従来の方法で燃焼させると、バーナへのカーボンの堆積や、黒煙を発生させる場合が多いという問題や、ＶＯＣは炭素／水素比が比較的大きく、燃焼火炎が輻射の多い輝炎となるため、バーナ等の高温部の寿命が短くなる可能性が高いという問題、さらには、ＮＯＸ発生が増加する傾向にあるといった問題があった。
【０００６】
また、上記のＶＯＣをボイラ燃料の一部として使用する方法の問題を解決する方法として、水蒸気流中に液体ＶＯＣを噴霧し、水蒸気とＶＯＣとの直接的な熱交換により、ＶＯＣと水蒸気の混合ガスを生成し、それをガスタービンの燃焼器に注入した例がある。しかし、この場合、水蒸気の一部はその潜熱をＶＯＣの気化に利用され、凝縮液化して凝縮水を生成するが、以下の不都合を発生させる。
【０００７】
第一に、ＶＯＣがトルエン等の非水溶性の物質であれば問題ないが、近年使用が増えている、酢酸エチル、ＭＥＫ（メチルエチルケトン）等の水溶性物質の場合、前述の凝縮水はそれらの物質の一部を溶解して排出されることになるため、排水処理の新たな問題を引き起こすことになる。
【０００８】
第二に、水蒸気流中に液体ＶＯＣを噴霧する場合、その雰囲気は常に飽和状態に保たれた気化、凝縮のバランスとなる。したがって、バーナまでの配管で外気への放熱が少しでもあると、混合ガスの一部が凝縮液化することになり、これも排水処理の新たな問題を引き起こすことになる。
【０００９】
さらに、液体ＶＯＣを冷却水と混合して燃焼器で燃焼させる方法も開示されている（特許文献１）。しかし、この場合、上記のＶＯＣと水蒸気の混合ガスを生成する方法において問題となる排水処理の問題は生じないものの、液体ＶＯＣと冷却水の気化熱により燃焼器の温度が低下し、安定した燃焼が望めないという問題があった。また、液体ＶＯＣが疎水性の場合は、液体ＶＯＣと冷却水を均一に混合することが困難であるという問題もあった。
【先行技術文献】
【特許文献】
【００１０】
【特許文献１】特開２０１０−１３３６８２号公報
【発明の概要】
【発明が解決しようとする課題】
【００１１】
そこで、本発明は、上記の問題を解決して液体ＶＯＣを燃料として有効利用するために、ＶＯＣの燃焼の際に煙の発生を抑制し、バーナ等の高温部の寿命を延し、ＮＯＸの発生を減少させ、排水処理の問題を引き起こすこともなく、さらに、ＶＯＣを安定して燃焼させることのできる、液体ＶＯＣの燃焼処理装置及び燃焼処理方法を提供することを目的とする。
【課題を解決するための手段】
【００１２】
本発明の液体ＶＯＣの燃焼処理装置は、液体ＶＯＣを水蒸気により加熱して気化させる気化手段と、前記気化手段により生成した気体ＶＯＣを水蒸気と混合する混合手段と、前記混合手段により生成した混合ガスを燃焼する燃焼手段とを備え、前記気化手段において液体ＶＯＣの気化に使用された水蒸気の余剰分が前記混合手段において気体ＶＯＣと混合されるように構成されたことを特徴とする。
【００１３】
本発明の液体ＶＯＣの燃焼処理方法は、液体ＶＯＣを水蒸気により加熱して気化させる気化ステップと、前記気化ステップにより生成した気体ＶＯＣを水蒸気と混合する混合ステップと、前記混合ステップにより生成した混合ガスを燃焼する燃焼ステップとを備え、前記気化ステップにおいて液体ＶＯＣの気化に使用された水蒸気の余剰分を前記混合ステップにおいて気体ＶＯＣと混合することを特徴とする。
【発明の効果】
【００１４】
本発明によれば、気体ＶＯＣと水蒸気の混合ガスを燃焼するので、ＶＯＣの燃焼の際に煙の発生を抑制し、バーナ等の高温部の寿命を延ばし、ＮＯＸの発生を減少させることができる。また、液体ＶＯＣの気化に使用された水蒸気の余剰分を気体ＶＯＣと混合するので、液体ＶＯＣを水蒸気流中に噴霧して気化させる場合のように混合ガスが凝縮液化して排水処理の問題を引き起こすことがない。さらに、気体ＶＯＣと水蒸気を混合して生成した混合ガスを燃焼するので、ＶＯＣの種類によらずＶＯＣを安定して燃焼させることができる。
【図面の簡単な説明】
【００１５】
【図１】本発明の液体ＶＯＣの燃焼処理装置の一実施例を示す全体構成図である。
【発明を実施するための形態】
【００１６】
以下、本発明の液体ＶＯＣの燃焼処理装置及び燃焼処理方法について具体的に説明する。なお、本発明は以下の実施例に限定されるものではなく、種々の変形実施が可能である。
【実施例１】
【００１７】
はじめに、本発明の液体ＶＯＣの燃焼処理装置の構成について説明する。
【００１８】
本発明の液体ＶＯＣの燃焼処理装置の一実施例を示す図１において、１はボイラであり、ボイラ１には、給水ポンプ２と流量計３を備えた給水ライン４が接続している。ボイラ１は、送風機５を備えたバーナ６を有しており、バーナ６には、流量計７と燃料ポンプ８を備えた主燃料ライン９が接続している。また、ボイラ１は、蒸気ライン10と排気ライン11を備えている。さらに、ボイラ１は、給水ポンプ２，燃料ポンプ８などを制御するための制御盤12を備えている。
【００１９】
13は複数のバッフルプレートを備えた、多管式の熱交換器であり、熱交換器13の上部には、弁14と流量計15を備えた蒸気ライン16が接続している。なお、蒸気ライン16は、本実施例１では、蒸気ライン10から分岐しているが、他の蒸気源に別途接続される蒸気ラインでもよい。熱交換器13の下部には、ドレンライン17と余剰蒸気ライン18が接続している。一方、熱交換器13の底部には、流量調整ダイアル付のＶＯＣ送液ポンプ19と弁20を備えた液体ＶＯＣライン21が接続し、熱交換器13の頂部には、気体ＶＯＣライン22が接続している。
【００２０】
23はインラインミキサーであり、余剰蒸気ライン18と気体ＶＯＣライン22が接続している。また、インラインミキサー23とバーナ６には、混合気ライン24が接続している。
【００２１】
なお、図１中、一点鎖線で囲まれた範囲が、本発明の液体ＶＯＣの燃焼処理装置の主要な部分となる。
【００２２】
つぎに、動作について説明する。
【００２３】
ボイラ１において、主燃料ライン９から供給された灯油などの主燃料をバーナ６で燃焼させ、給水ライン４から供給された水を加熱して水蒸気を発生させる。ボイラ１で発生した水蒸気は、蒸気ライン10から各設備（図示せず）へ供給されるほか、蒸気ライン16から熱交換器13に供給される。
【００２４】
熱交換器13では、液体ＶＯＣライン21から供給された液体ＶＯＣを、熱交換器13の底部から頂部へ向かって伝熱管（図示せず）の内側に流す。一方、蒸気ライン16から供給された水蒸気を、熱交換器13の上部から下部に向かって伝熱管（図示せず）の外側に流す。すなわち、液体ＶＯＣを下から上へ向かって、水蒸気を上から下へ向かって流す。これにより、伝熱管（図示せず）の内側の液体ＶＯＣと外側の水蒸気の間で熱交換が行われ、液体ＶＯＣが気化する。なお、蒸気ライン16から供給される水蒸気の量は、液体ＶＯＣを気化するために必要な量よりも多くなっている。
【００２５】
液体ＶＯＣの気化により生じた気体ＶＯＣは、気体ＶＯＣライン22からインラインミキサー23へ向かう。液体ＶＯＣの気化に使用された水蒸気は凝縮してドレンとなり、ドレンライン17から排出される。なお、このドレンは、給水ライン４からボイラ１に供給され再利用される。また、液体ＶＯＣの気化に使用されなかった余剰分の水蒸気は、余剰蒸気ライン18からインラインミキサー23へ向かう。
【００２６】
インラインミキサー23では、気体ＶＯＣと余剰水蒸気が混合されて混合ガスが生成し、この混合ガスは、混合気ライン24からバーナ６に向かう。そして、混合ガスは、バーナ６の燃焼域に注入されて主燃料とともに燃焼される。なお、インラインミキサー23で混合されるまでは、気体ＶＯＣ、水蒸気ともにそれぞれ飽和状態となっているが、混合されるとそれぞれの分圧が下がって飽和温度が上昇して過熱蒸気の状態となるため、インラインミキサー23からその後のバーナ６に至るまで、混合ガスは凝縮しにくい状態が保たれる。例えば、混合前の気体ＶＯＣが２気圧、水蒸気が２〜４気圧がそれぞれで飽和していたものが、インラインミキサー23で混合するとそれぞれの分圧が０．５気圧となるようになっている。
【００２７】
以上のように、本実施例の液体ＶＯＣの燃焼処理装置は、液体ＶＯＣを水蒸気により加熱して気化させる気化手段としての熱交換器13と、熱交換器13により生成した気体ＶＯＣを水蒸気と混合する混合手段としてのインラインミキサー23と、インラインミキサー23により生成した混合ガスを燃焼する燃焼手段としてのバーナ６とを備え、熱交換器13において液体ＶＯＣの気化に使用された水蒸気の余剰分がインラインミキサー23において気体ＶＯＣと混合されるように構成されたものである。
【００２８】
また、本実施例の液体ＶＯＣの燃焼処理方法は、液体ＶＯＣを水蒸気により加熱して気化させる気化ステップと、前記気化ステップにより生成した気体ＶＯＣを水蒸気と混合する混合ステップと、前記混合ステップにより生成した混合ガスを燃焼する燃焼ステップとを備え、前記気化ステップにおいて液体ＶＯＣの気化に使用された水蒸気の余剰分を前記混合ステップにおいて気体ＶＯＣと混合するものである。
【００２９】
本実施例によれば、気体ＶＯＣと水蒸気の混合ガスを燃焼するので、ＶＯＣ燃焼の際に、ＶＯＣ単独で燃焼した場合に発生する煙の発生を抑制することができる。また、水蒸気との混合ガスを燃焼することにより、ＶＯＣ単独で燃焼した場合よりも燃焼火炎が透明度の高い輻射の少ないものとなるため、バーナ等の高温部の寿命を延ばすことができる。また、混合ガスを燃焼することにより、ＶＯＣ単独で燃焼した場合よりも燃焼火炎の温度が低くなるため、ＮＯＸの発生を減少させることができる。
【００３０】
また、本実施例では、液体ＶＯＣの気化に使用された水蒸気の余剰分を気体ＶＯＣと混合するという、従来技術には見られない構成を有する。なお、従来技術においては、水蒸気加熱による気化器は、例えばＬＰＧ気化器等の一般的な機器として知られているが、供給された水蒸気はすべて凝縮液化されるようになっており、飽和水蒸気が取り出されることも、被気化物質と混合されることもない。
【００３１】
一方、水蒸気流中に液体ＶＯＣを噴霧し、水蒸気とＶＯＣとの直接的な熱交換により、ＶＯＣと水蒸気の混合ガスを生成する従来技術においては、水蒸気の一部はその潜熱をＶＯＣの気化に利用され、凝縮液化して凝縮水を生成するが、ＶＯＣが水溶性物質の場合、前述の凝縮水はＶＯＣの一部を溶解して排出されることになるため、排水処理の問題を引き起こすことになる。これに対して、本実施例では、熱交換器13を用いた間接的な加熱によりＶＯＣを気化させるため、ＶＯＣの気化時に発生する凝縮水にＶＯＣが混入することがなく、このような排水処理の問題を引き起こすことがない。また、本実施例では、熱交換器13で凝縮液化した凝縮水にＶＯＣが混入することがないため、この凝縮水はドレンとして取り出されてボイラ１に供給され再利用することができる。
【００３２】
また、水蒸気流中に液体ＶＯＣを噴霧する従来技術においては、その雰囲気は常に飽和状態に保たれた気化、凝縮のバランスとなる。したがって、バーナまでの配管で外気への放熱が少しでもあると、混合ガスの一部が凝縮液化することになり、排水処理の問題を引き起こすことになる。これに対して、本実施例では、インラインミキサー23で混合されるまでは、気体ＶＯＣ、水蒸気ともにそれぞれ飽和状態となっているが、混合されるとそれぞれの分圧が下がって飽和温度が上昇して過熱蒸気の状態になるため、混合ガスは凝縮しにくい乾いた状態が保たれ、このような排水処理の問題を引き起こすことがない。
【００３３】
さらに、液体ＶＯＣを冷却水と混合して燃焼器で燃焼させる従来技術においては、液体ＶＯＣと冷却水の気化熱により燃焼器の温度が低下し、安定した燃焼が望めないという問題があった。また、液体ＶＯＣが疎水性の場合は、液体ＶＯＣと冷却水を均一に混合することが困難であるという問題もあった。これに対して、本実施例では、気体ＶＯＣと水蒸気を混合して生成した混合ガスを燃焼するので、液体ＶＯＣと冷却水の気化熱により燃焼器の温度が低下することなく、ＶＯＣを安定して燃焼させることができる。また、ＶＯＣの種類によらず水蒸気と均一に混合して、ＶＯＣを安定して燃焼させることができる。
【符号の説明】
【００３４】
６  バーナ（燃焼手段）
13  熱交換器（気化手段）
23  インラインミキサー（混合手段）
【図１】
0006411314.tif 000002